(57)【要約】【課題】光記録媒体からの反射光を受光する複数の受光素子を備える光ピックアップにおいて、出力信号線の数、製造コスト、及び大型化について抑制可能な構成を提供する。【解決手段】光ピックアップのベース２１には、外部のコントローラ基板２６と電気的に接続される第１のプリント基板２４と、第１受光素子１０が実装され、第１のプリント基板２４と直接電気的に接続される第２のプリント基板２２と、第２受光素子１８が実装され、第２のプリント基板２２を中継して第１のプリント基板２４と電気的に接続される第３のプリント基板２３と、が取り付けられる。第２のプリント基板２２においては、受光素子１０、１８からの信号線の共通化が行われている。また、各受光素子１０、１８について、信号出力の可否を選択的に切り換えられるように切換回路が設けられる。【選択図】図３
2009076181.tif 000002
【特許請求の範囲】
【請求項１】
光記録媒体からの反射光を受光する複数の受光素子を備える光ピックアップであって、
前記複数の受光素子が固定配置されるベースと、
前記ベースに取り付けられ、外部に設けられる制御部と電気的に接続される第１のプリント基板と、
前記ベースに取り付けられ、前記受光素子が１つ実装され、前記第１のプリント基板と直接、電気的に接続される第２のプリント基板と、
前記ベースに取り付けられ、前記受光素子が１つ実装され、少なくとも前記第２のプリント基板を中継して前記第１のプリント基板と電気的に接続される１つ以上の第３のプリント基板と、を備え、
前記第２のプリント基板においては、前記複数の受光素子からの信号線の共通化が行われており、
前記複数の受光素子のそれぞれについて、信号出力の可否を選択的に切り換えられるように切換回路が設けられることを特徴とする光ピックアップ。
【請求項２】
前記第１のプリント基板と前記第２のプリント基板との電気的接続、及び前記第２のプリント基板と前記第３のプリント基板との電気的接続にあたっては、半田が使用されることを特徴とする請求項１に記載の光ピックアップ。
【請求項３】
前記プリント基板間の電気的接続には、可撓性プリント基板が用いられることを特徴とする請求項１又は２に記載の光ピックアップ。
【請求項４】
前記第１のプリント基板、前記第２のプリント基板、及び前記第３のプリント基板のうちの少なくとも１つは、リジッド基板であることを特徴とする請求項１から３のいずれかに記載の光ピックアップ。
【発明の詳細な説明】
【技術分野】
【０００１】
本発明は、光ビームを光記録媒体に照射して情報の読み取りや書き込みを可能とする光ピックアップに関し、より詳細には、光記録媒体からの反射光を受光する受光素子を複数備える光ピックアップの構成に関する。
【背景技術】
【０００２】
コンパクトディスク（以下、ＣＤという。）やデジタル多用途ディスク（以下、ＤＶＤという。）といった光記録媒体が普及している。また、最近では光記録媒体の情報量を更に増やすために、情報を高密度に記録できる光記録媒体に関する研究が進められ、例えば、高品位のＤＶＤであるＨＤ−ＤＶＤやブルーレイディスク（以下、ＢＤという。）といった光記録媒体も実用化されてきている。
【０００３】
このような光記録媒体について再生や記録を行うにあたっては、光記録媒体に光ビームを照射して情報の書き込みや情報の読み取りを可能とする光ピックアップが用いられる。そして、近年においては、上述のように光記録媒体の種類が複数あるために、一台で複数種類の光記録媒体に対応可能な光ピックアップが提案されている。
【０００４】
一台で複数種類の光記録媒体に対応する光ピックアップでは、それぞれ異なる波長の光ビームを出射する複数の光源が配置されるが、光記録媒体からの反射光を受光する受光素子（ＰＤＩＣ）については、１つのみとする光ピックアップもあれば、複数個とする光ピックアップもある。なお、ここで言う受光素子は、光を検出する光検出素子（フォトディテクタ）と電気変換回路（Ｉ／Ｖ変換回路等）とを備える素子である。
【０００５】
前述の受光素子を１つのみとする光ピックアップの場合、光学系の部品点数を少なくできるために、光ピックアップを小型化し易いといった利点がある。しかし、受光素子を１つとする光ピックアップでは、光学系を構成する光学部材等に要するコストが非常に高くなる場合がある。このため、光ピックアップを低コストで作製できるように、光記録媒体からの反射光を受光する受光素子の数を複数とすることが、従来、一般的に行われている。
【０００６】
しかし、光ピックアップが備える受光素子の数を複数とする光ピックアップにおいては、受光素子の数が増えるために、受光素子からの出力信号線の数が増大するといった問題がある。
【０００７】
この点、特許文献１においては、光ピックアップ内に設けられた複数組の光検出素子および電気変換回路からの出力信号線を一配線にまとめることにより、光ピックアップからの出力信号線の数を減らすことが示されている。また、特許文献２においては、光ピックアップは、複数の光センサ用集積回路と、これら複数の光センサ用集積回路が配線接続されるとともに当該光センサ用集積回路の出力信号を伝送する複数の信号線が形成されたＦＰＣ（Flexible Printed Circuit；フレキシブルプリント基板）と、備え、ＦＰＣの信号線を複数の光センサ用集積回路間で共通にしている。そして、これにより、光ピックアップからの信号線の数を少なくすることが示されている。
【特許文献１】特開２００６−１３４３８７号公報
【特許文献２】特開２００６−５４０２８号公報
【発明の開示】
【発明が解決しようとする課題】
【０００８】
しかしながら、特許文献１には、受光素子からの信号線を一配線にまとめることが示されているが、複数の受光素子からの信号線を一配線にまとめて、どのように複数の受光素子が光ピックアップに実装されるかについては、詳細に示されていない。
【０００９】
また、特許文献２に示されるように、ＦＰＣを複数方向に分岐させて、複数の受光素子からの信号線をまとめることも考えられるが、この構成の場合、ＦＰＣを複数方向に分岐させて使用する必要があるために、ＦＰＣの使用コストが高くなり、低コストで光ピックアップの作製することを考えると満足のいく手段とは言えない。
【００１０】
本発明者は、これまでは、複数の受光素子からの信号線を以下のようにしてまとめて、複数の受光素子を光ピックアップに実装していた。すなわち、各受光素子からの信号線をそれぞれＦＰＣによって、光ピックアップに備えられるメインプリント基板に接続し、メインプリント基板上で各受光素子からの信号線（配線）を共通化してまとめていた。そして、これにより、メインプリント基板から外部の制御部へと出力するための信号線の数を減らしていた。
【００１１】
なお、光ピックアップに備えられるメインプリント基板は、光源を駆動するための光源用ドライバＩＣ等が備えられるプリント基板で、例えばガラスコンポジット基板等のリジッド基板（硬質のプリント基板）から成る。
【００１２】
しかし、本発明者がこれまで行っていた方式は、次のような問題点がある。すなわち、複数の受光素子からの信号線を、それぞれメインプリント基板に半田付けする場合、半田付けするスペースを確保する必要性から、メインプリント基板のサイズを大型化する必要がある。この場合、光ピックアップが大型化につながるといった問題がある。
【００１３】
また、メインプリント基板の大型化を避けるために、複数の受光素子からの信号線の接続を半田付けではなく、小型コネクタを用いる手法もある。しかし、この場合には、小型コネクタが高価であるために、光ピックアップの製造コストが高くなるという問題がある。
【００１４】
以上の点に鑑み、本発明の目的は、光記録媒体からの反射光を受光する複数の受光素子を備える光ピックアップにおいて、出力信号線の数、製造コスト、及び大型化について抑制可能な構成を提供することである。
【課題を解決するための手段】
【００１５】
上記目的を達成するために本発明は、光記録媒体からの反射光を受光する複数の受光素子を備える光ピックアップであって、前記複数の受光素子が固定配置されるベースと、前記ベースに取り付けられ、外部に設けられる制御部と電気的に接続される第１のプリント基板と、前記ベースに取り付けられ、前記受光素子が１つ実装され、前記第１のプリント基板と直接、電気的に接続される第２のプリント基板と、前記ベースに取り付けられ、前記受光素子が１つ実装され、少なくとも前記第２のプリント基板を中継して前記第１のプリント基板と電気的に接続される１つ以上の第３のプリント基板と、を備え、前記第２のプリント基板においては、前記複数の受光素子からの信号線の共通化が行われており、前記複数の受光素子のそれぞれについて、信号出力の可否を選択的に切り換えられるように切換回路が設けられることを特徴としている。
【００１６】
これによれば、複数の受光素子からの出力を第１のプリント基板に伝送する構成が、複数の受光素子からの信号線の共通化を図った第２のプリント基板を通ってのみ行われる構成となっており、他のプリント基板から直接、第１のプリント基板に伝送されることはない。このために、第１のプリント基板に接続される信号線の数が減る。そして、信号線を接続するための面積を減少できるために、第１のプリント基板の大型化を抑制できる。また、この構成の場合、複数方向に分岐するＦＰＣを用いないために、従来に比べて安価に光ピックアップを作製することが期待できる。
【００１７】
また、本発明は、上記構成の光ピックアップにおいて、前記第１のプリント基板と前記第２のプリント基板との電気的接続、及び前記第２のプリント基板と前記第３のプリント基板との電気的接続にあたっては、半田が使用されるのが好ましい。これにより、光ピックアップの低コスト化を図れる。
【００１８】
また、本発明は、上記構成の光ピックアップにおいて、前記プリント基板間の電気的接続には、可撓性プリント基板が用いられるのが好ましい。これによれば、光ピックアップの組み立て作業が行い易い。
【００１９】
また、本発明は、上記構成の光ピックアップにおいて、前記第１のプリント基板、前記第２のプリント基板、及び前記第３のプリント基板のうちの少なくとも１つは、リジッド基板であるのが好ましい。リジッド基板は安価なものを入手しやすいために、本構成によれば、光ピックアップの製造コストの抑制を図れる。
【発明の効果】
【００２０】
本発明によれば、光記録媒体からの反射光を受光する受光素子を複数備え、出力信号線の数、製造コスト、及び大型化について抑制可能な光ピックアップを提供できる。
【発明を実施するための最良の形態】
【００２１】
以下、本発明の光ピックアップの実施形態について、図面を参照しながら詳細に説明する。
【００２２】
まず、本実施形態の光ピックアップの概略構成について、図１及び図２を参照しながら説明する。図１は、本実施形態の光ピックアップの構成を示す概略平面図である。図２は、本実施形態の光ピックアップの光学系の構成を示す概略図である。なお、図１において破線で示した光ディスク（光記録媒体）５０は、光ピックアップ１の上に存在するものである。
【００２３】
本実施形態の光ピックアップ１は、光ディスク５０に対してレーザ光を照射して、光ディスク５０に記録される情報の読み取りや、光ディスク５０への情報の書き込みを可能とする装置である。光ピックアップ１は、光ディスク装置に搭載される場合においては、図１に示すように、光ディスク装置内に設けられる２本のガイドレール４０に摺動可能に支持される。そして、光ピックアップ１は、図示しない駆動手段によって駆動されて、光ディスク５０の半径方向（ラジアル方向）と平行な方向に延びるガイドレール４０に沿って移動し、光ディスク５０に記録される情報の読み取りや、光ディスク５０への情報の書き込みを行う。
【００２４】
図２に示すように、光ピックアップ１は２系統の光学系を備え、一方はＢＤ用の光学系で、他方はＤＶＤ及びＣＤ（ＤＶＤ／ＣＤ）用の光学系である。この２系統の光学系は、光ピックアップ１が情報の読み取りや書き込みを行う光ディスク５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、その構成を順に説明する。
【００２５】
ＢＤ用の光学系は、第１レーザダイオード２と、回折素子３と、偏光ビームスプリッタ４と、第１コリメートレンズ５と、１／４波長板６と、第１立ち上げミラー７と、第１対物レンズ８と、第１シリンドリカルレンズ９と、第１受光素子（ＢＤ用受光素子）１０と、を備える。
【００２６】
第１レーザダイオード２は、波長４０５ｎｍ帯のレーザ光を出射する光源である。第１レーザダイオード２から出射されたレーザ光は、回折素子３によって主ビームと２つの副ビームとに分けられる。回折素子３から出射したレーザ光は、偏光ビームスプリッタ４で反射され、第１コリメートレンズ５に送られる。
【００２７】
第１コリメートレンズ５は、図示しない駆動手段によって光軸方向（図２に示す矢印の方向）に移動可能となっており、その位置によって、第１対物レンズ８に入射するレーザ光の収束発散状態を変化させる。このような構成とするのは、球面収差の補正を行えるようにするためである。
【００２８】
第１コリメートレンズ５を出射したレーザ光は、偏光ビームスプリッタ４と協働して光アイソレータとして機能する１／４波長板６を通過し、第１立ち上げミラー７によって反射されて第１対物レンズ８に入射する。第１対物レンズ８は、入射したレーザ光を光ディスク５０の記録面５０ａに集光する。
【００２９】
光ディスク５０で反射されたレーザ光（反射光）は、第１対物レンズ８を透過後、第１立ち上げミラー７で反射され、１／４波長板６、第１コリメートレンズ５の順に透過後、更に偏光ビームスプリッタ４も透過する。偏光ビームスプリッタ４を透過したレーザ光は、非点収差を付与する機能を有する第１シリンドリカルレンズ９を透過して、第１受光素子１０の受光領域に集光する。第１受光素子１０は、入射した光信号を電気信号に変換して出力する。ここで出力された電気信号は処理されて（例えば、光ピックアップ１の外部に設けられる信号処理部で処理される）、再生信号や、フォーカスエラー信号や、トラッキングエラー信号等がとなる。
【００３０】
次に、ＤＶＤ／ＣＤ用の光学系について説明する。ＤＶＤ／ＣＤ用の光学系は、第２レーザダイオード１１と、ハーフミラー１２と、第２コリメートレンズ１３と、第２立ち上げミラー１４と、液晶素子１５と、第２対物レンズ１６と、第２シリンドリカルレンズ１７と、第２受光素子（ＤＶＤ／ＣＤ用受光素子）１８と、を備える。
【００３１】
第２レーザダイオード１１は、波長６５０ｎｍ帯のレーザ光と、波長７８０ｎｍ帯のレーザ光と、を切り換えて出射できるように２つの発光点（２つの光源）を有する２波長レーザである。第２レーザダイオード１１から出射されたレーザ光は、ハーフミラー１２で反射されて第２コリメートレンズ１３に送られ、平行光に変換される。
【００３２】
第２コリメートレンズ１３から出射されたレーザ光は、第２立ち上げミラー１４で反射され、液晶素子１５に入射する。液晶素子１５は、液晶と液晶を挟む２つの透明電極（いずれも図示せず）とから成って、透明電極に印加する電圧を調整することによって、通過するレーザ光の位相分布を調整し、波面収差の補正を行う。
【００３３】
液晶素子１５から出射したレーザ光は、第２対物レンズ１６に入射し、光ディスク５０の記録面５０ａに集光する。
【００３４】
光ディスク５０で反射されたレーザ光は、第２対物レンズ１６、液晶素子１５を透過後、第２立ち上げミラー１４で反射され、第２コリメートレンズ１３、ハーフミラー１２の順に透過し、非点収差を付与する機能を有する第２シリンドリカルレンズ１７を透過して、第２受光素子１８の受光領域に集光する。第２受光素子１８は、入射した光信号を電気信号に変換して出力する。ここで出力された電気信号は処理されて（例えば、光ピックアップ１の外部に設けられる信号処理部で処理される）、再生信号や、フォーカスエラー信号や、トラッキングエラー信号等となる。
【００３５】
なお、第１対物レンズ８、第２対物レンズ１６、及び液晶素子１５は、対物レンズアクチュエータ１９に搭載され、フォーカス方向とトラッキング方向とに移動可能となっている。これにより、フォーカス調整やトラッキング調整が可能となる。なお、フォーカス方向とは、対物レンズ８、１６が光ディスク５０に対して接離する方向であり、トラッキング方向とは、光ディスク５０の半径方向と平行な方向（図１のラジアル方向に同じ）である。また、フォーカス調整とは、第１対物レンズ８又は第２対物レンズ１６の焦点位置が常に光ディスク５０の記録面５０ａに合うように行う調整のことで、トラッキング調整とは、記録面５０ａに形成されるビームスポットの位置が常に光ディスク５０に形成されるトラックに追従するように行う調整のことである。
【００３６】
また、ここで示した光ピックアップ１の光学系の構成は、一例に過ぎず、本発明の目的を逸脱しない範囲で、当然、種々の変更が可能である。
【００３７】
次に、光情報を電気信号に変換して出力する第１受光素子１０及び第２受光素子１８が、光ピックアップ１に実装される構成について、図３、図４、図５を参照しながら説明する。図３は、本実施形態の光ピックアップ１における、第１受光素子１０及び第２受光素子１８の実装形態を説明するための模式図である。図４は、第１受光素子１０の受光領域ａ〜ｄからの信号線と、第２受光素子１８の受光領域Ａ〜Ｄからの信号線と、の共通化について説明するための説明図である。図５は、第１受光素子１０と第２受光素子１８との信号出力の可否を選択的に切り換える切換回路の構成を説明するための説明図である。
【００３８】
図３に示すように、光ピックアップ１に備えられる第１受光素子１０及び第２受光素子１８は、それぞれ、第１受光素子用プリント基板（第２のプリント基板）２２、第２受光素子用プリント基板（第３のプリント基板）２３に実装されている。第１受光素子用プリント２２及び第２受光素子用プリント基板２３は、例えば、ガラスコンポジット基板等の低コストで入手可能なリジッド基板（硬質なプリント基板）から成っている。
【００３９】
第１受光素子用プリント基板２２と第２受光素子用プリント基板２３とは、光ピックアップ１のピックアップベース２１に、例えば接着によって固定される。これにより、第１受光素子１０及び第２受光素子１８は、ピックアップベースに固定配置される。なお、第１受光素子１０及び第２受光素子１８は、当然、光ディスク５０からの反射光を受光するように構成されるために、実際には図３のような位置に配置されないが、本発明の理解を得られ易いように、図３は便宜的に描いている。
【００４０】
なお、ピックアップベース２１は、上述のレーザダイオードや各種光学部材を搭載するベースである。
【００４１】
また、ピックアップベース２１には、光ピックアップ１のメインプリント基板２４（第１のプリント基板）が、例えば接着により固定されている。メインプリント基板２４も、受光素子用プリント基板２２、２３と同様に、例えば、ガラスコンポジット基板等の低コストで入手可能なリジッド基板からなっている。
【００４２】
このメインプリント基板２４には、第１レーザダイオード２や第２レーザダイオード１１の駆動を制御するドライバＩＣや第１コリメートレンズ５の駆動を制御するドライバＩＣ等が実装されている。また、メインプリント基板２４には、ＦＦＣ（Flexible Flat Cable；フレキシブルフラットケーブル）用のコネクタ２７が形成されている。そして、メインプリント基板２４は、ＦＦＣ２８を介して光ピックアップ１の外部に設けられるコントローラ基板（制御部）２６と電気的に接続されている。これにより、メインプリント基板２４は、コントローラ基板２６と信号のやり取りが可能となっている。
【００４３】
本実施形態の光ピックアップ１においては、第１受光素子１０及び第２受光素子１８からの出力信号は、メインプリント基板２４を介してコントローラ基板２７に送られ、そこで、再生信号やサーボ信号（フォーカスエラー信号やトラッキングエラー信号等）を得るための処理が行われる。
【００４４】
このために、第１受光素子用プリント基板２２及び第２受光素子用プリント基板２３からの出力は、メインプリント基板２４に送られるように構成する必要がある。この点、本実施形態の光ピックアップ１においては、第１受光素子用プリント基板２２は、ＦＰＣ（フレキシブルプリント基板；可撓性プリント基板）２５ｂを介してメインプリント基板２４に直接、電気的に接続される構成となっている。一方、第２受光素子用プリント基板２３は、メインプリント基板２４と直接電気的に接続されるのではなく、第１受光素子用プリント基板２２を中継してメインプリント基板２４と電気的に接続されるようになっている。
【００４５】
なお、ＦＰＣ２５ａ、２５ｂのプリント基板２２、２３、２４への接続は、いずれも半田２９を用いて行う構成となっている。このように、半田付けにて接続を行う理由は、製造コストを低コストとするためである。
【００４６】
また、本実施形態では、第１受光素１０が実装されるプリント基板２２が、メインプリント基板２４に直接、電気的に接続され、第２受光素子１８が実装されるプリント基板２３は、プリント基板２２を中継してメインプリント基板２４と電気的に接続される構成とした。しかし、これに限定されず、第１受光素子１０が実装されるプリント基板２２と第２受光素子１８が実装されるプリント基板２３の位置関係を本実施形態の構成と逆にしても構わない。
【００４７】
次に、第２受光素子用プリント基板２３からの出力信号が、第１受光素子用プリント基板２２を中継して、メインプリント基板２４へと送られる構成の詳細について説明する。図３に示すように、第２受光素子１８からの出力信号は、第２受光素子用プリント基板２３に形成される信号出力用の配線（信号線）を通り、ＦＰＣ２５ａを介して第１受光素子用プリント基板２２に出力される。そして、第１受光素子用プリント基板２２に形成される信号出力用の配線（信号線）を通って、ＦＰＣ２５ｂを介してメインプリント基板２４へと送られる。なお、メインプリント２４に送られた信号は、ＦＦＣ２８を介してコントローラ基板２６に送られる。
【００４８】
また、第１受光素子用プリント基板２２においては、第１受光素子１０からの出力信号を出力するための配線も形成されている。そして、第１受光素子用プリント基板２２上において、第１受光素子１０及び第２受光素子１８からの出力信号を出力するための配線は接続されて共通化されている。なお、図３においては、説明の便宜上、受光素子１０、１８から出力される信号線を１本しか示していないが、実際には１本ではない。
【００４９】
第１受光素子１０と第２受光素子１８は、いずれも、図４に示すような矩形状の４つに分割された受光領域（第１受光素子１０はａ〜ｄの４つの受光領域、第２受光素子１８はＡ〜Ｄの４つの受光領域）を有する。このために、これらの受光領域からの信号出力用の配線パターンは同様となるために、共通化させることが可能である。このために、上述のように、第１受光素子用プリント基板２２で配線の共通化を図っており、これについて、図４に具体的に示している。
【００５０】
なお、詳細には、ＢＤ用の光学系においては、回折素子３によって、第１レーザダイオード２から出射されたレーザ光を３ビーム（主ビームと２つの副ビーム）としているために、第１受光領域１０には、主ビーム用の受光領域である上述の４分割領域ａ〜ｄ以外に、副ビーム用の受光領域（図示しないが、主ビーム用受光領域を挟むように２つ設けられる）も存在する。このため、第１受光素子用プリント基板２２には、この副ビーム用受光領域からの信号出力用の配線が存在するが、これらについては配線の共有化が図られないために、図３及び図４には特に示していない。
【００５１】
本実施形態の光ピックアップ１においては、第１受光素子１０及び第２受光素子１８からの信号を出力する出力信号線の共通化を図っているために、第１受光素子１０と第２受光素子１８とを切り換えて使用できるように切換回路が形成されている。これについて、図５を参照しながら説明する。なお、以下では、第１受光素子１０の受光領域ａと第２受光領域１８の受光領域Ａとの切換回路について説明するが、他の受光領域の切換回路も同様である。
【００５２】
図５に示すように、各受光領域は、光を検出する光検出素子３１ａ（３１ｂ）と、光検出素子３１ａ（３１ｂ）からの検出電流を電圧変換するＩ／Ｖ変換回路３２ａ（３２ｂ）と、コントローラ基板２６からの制御信号に基づいて、ショートとオープンを切り換える切換スイッチ３３ａ（３３ｂ）と、が備えられている。切換スイッチ３３ａ、３３ｂのショート／オープンの切り換えは、例えば、制御信号電圧の高低（Ｈｉｇｈ／Ｌｏｗ）により行われる。
【００５３】
光ピックアップ１によって情報の読み取りや書き込みが行われる光ディスク５０の種類がＢＤである場合には、切換スイッチ３３ａがショートとされ、切換スイッチ３３ｂがオープンとされる。この結果、受光領域ａから出力される信号のみが後段へ送られることになる。一方、光ピックアップ１によって情報の読み取りや書き込みが行われる光ディスク５０の種類がＤＶＤ或いはＣＤである場合には、切換スイッチ３３ｂがショートとされ、切換スイッチ３３ａがオープンとされる。この結果、受光領域Ａから出力される信号のみが後段へ送られることになる。上述のように、他の受光領域についても同様の切り換えが行われる。
【００５４】
以上の示した本実施形態の光ピックアップ１においては、第２受光素子用プリント基板２３からの出力を、第１受光素子用プリント基板２２を中継してメインプリント基板２４へと送る構成とし、第１受光素子用プリント基板２２において、信号線の共通化を図って信号線の数を少なくしている。このために、第１受光素子１０及び第２受光素子１８からの出力信号が送られるメインプリント基板２４のサイズの大型化を抑制できる。また、このために、メインプリント基板２４の大型化抑制のために従来使用されていた小型コネクタの使用も避けられ、光ピックアップの製造コストの抑制も図れる。
【００５５】
更に、本実施形態の光ピックアップ１は、第１受光素子１０及び第２受光素子１８からの出力信号線の共通化を図るにあたって、複数の方向に分岐したＦＰＣを使用する必要がないために、光ピックアップの製造コストの抑制を図れる。
【００５６】
以上に示した実施形態は一例であり、本発明の光ピックアップは上述の実施形態に限定されるものではなく、本発明の目的を逸脱しない範囲で種々の変更が可能である。
【００５７】
本実施形態においては、受光素子用プリント基板２２、２３及びメインプリント基板２４について、ガラスコンポジット基板等のリジッド基板を用いる構成とした。しかし、この構成に限定される趣旨ではなく、例えば、受光素子用プリント基板２２、２３及びメインプリント基板２４について、例えばＦＰＣのような可撓性プリント基板を用いる構成等としても良い。この場合でも、複数方向に分岐するＦＰＣを使用する訳ではないために、複数方向に分岐するＦＰＣを用いる場合に比べて、コストの抑制を図れる。ただし、本実施形態のように、例えばガラスコンポジット基板で形成されるリジッド基板を用いる方が、更に低コストとできるために好ましい。
【００５８】
また、本実施形態においては、第１受光素子用プリント基板２２と第２受光素子用プリント基板２３との接続、及び第１受光素子用プリント基板２２とメインプリント基板２４との接続について、ＦＰＣ２５ａ、２５ｂを用いる構成とした。しかし、この構成に限定される趣旨ではなく、例えば、金属線で接続する構成等としても構わない。ただし、本実施形態のように、ＦＰＣのような可撓性プリント基板を用いると作業性が良くなり、好ましい。
【００５９】
また、本実施形態においては、光ディスク５０からの反射光を受光する受光素子の数が２つである場合を例に説明したが、これに限定されない。すなわち、光ディスクからの反射光を受光する受光素子の数が、３つ以上の場合であっても本発明は適用可能である。この場合には、例えば、受光素子用プリント基板を、１つずつ順にＦＰＣによって接続して、受光素子用プリント基板が一続きとなるような構成としても良い。
【００６０】
その他、本実施形態においては、光ピックアップが、ＢＤ、ＤＶＤ、ＣＤの３種類の光記録媒体に対応する構成を例に説明したが、光ピックアップが対応する光記録媒体の種類は本実施形態に示した例に限定されず、広く適用できるのは言うまでもない。
【産業上の利用可能性】
【００６１】
本発明によれば、光記録媒体からの反射光を受光する受光素子を複数備え、出力信号線の数、製造コスト、及び大型化について抑制可能な光ピックアップを提供できる。このため、本発明の光ピックアップは有用である。
【図面の簡単な説明】
【００６２】
【図１】は、本実施形態の光ピックアップの構成を示す概略平面図である。
【図２】は、本実施形態の光ピックアップの光学系の構成を示す概略図である。
【図３】は、本実施形態の光ピックアップにおける、第１受光素子及び第２受光素子の実装形態を説明するための模式図である。
【図４】は、第１受光素子からの信号線と、第２受光素子からの信号線と、の共通化について説明するための説明図である。
【図５】は、第１受光素子と第２受光素子との信号出力の可否を選択的に切り換える切換回路の構成を説明するための説明図である。
【符号の説明】
【００６３】
１              光ピックアップ
１０            第１受光素子
１８            第２受光素子
２１            ピックアップベース
２２            第１受光素子用プリント基板（第２のプリント基板）
２３            第２受光素子用プリント基板（第３のプリント基板）
２４            メインプリント基板（第１のプリント基板）
２５ａ、２５ｂ  ＦＰＣ（可撓性プリント基板）
２６            コントローラ基板（制御部）
２９            半田
５０            光ディスク（光記録媒体）
５０ａ          記録面
【図１】
2009076181.tif 000003
【図２】
2009076181.tif 000004
【図３】
2009076181.tif 000005
【図４】
2009076181.tif 000006
【図５】
2009076181.tif 000007